(57)【要約】  ＳＩＢブロックまたはＭＩＢブロックがスケジュールされていない、共通制御チャネル上の空のスロットを決定することと、空のスロットにおいてＳＩＢ７またはＳＩＢ１４ブロックを使用して通話設定時間を低減させることとを含む、ワイヤレス通信デバイスの通話設定時間を低減させる装置および方法。１つの観点において、ＳＩＢ７またはＳＩＢ１４ブロック中に含まれるアップリンク干渉レベルが、ＳＩＢ７またはＳＩＢ１４ブロック以外のＳＩＢブロック上に重畳される。
2010518702.tif 000002
【特許請求の範囲】
【請求項１】
ワイヤレス通信デバイスの通話設定時間を低減させる方法において、
ＳＩＢブロックまたはＭＩＢブロックがスケジュールされていない、第１の共通制御チャネル上の少なくとも１つの空のスロットを決定することと、
前記少なくとも１つの空のスロットにおいて、少なくとも１つのＳＩＢ７またはＳＩＢ１４ブロックをスケジュールして、前記通話設定時間を低減させることとを含む方法。
【請求項２】
前記第１の共通制御チャネルはＰ−ＣＣＰＣＨである請求項１記載の方法。
【請求項３】
前記ワイヤレス通信デバイスは３Ｇシステムの一部である請求項１記載の方法。
【請求項４】
前記ワイヤレス通信デバイスはＵＭＴＳの一部である請求項３記載の方法。
【請求項５】
前記少なくとも１つの空のスロットを決定する前に、第２の共通制御チャネル上で前記ワイヤレス通信デバイスをページングすることをさらに含む請求項１記載の方法。
【請求項６】
前記第２の共通制御チャネルはＳ−ＣＣＰＣＨである請求項５記載の方法。
【請求項７】
前記ページングは、ワイヤレスネットワークによって送られる請求項５記載の方法。
【請求項８】
前記ワイヤレスネットワークは３Ｇシステムである請求項７記載の方法。
【請求項９】
前記３ＧシステムはＵＭＴＳである請求項８記載の方法。
【請求項１０】
アップリンク干渉レベルを取得するために、前記少なくとも１つのＳＩＢ７またはＳＩＢ１４ブロックのうちの１つをデコードすることをさらに含む請求項１記載の方法。
【請求項１１】
前記デコードするステップは、前記１つのＳＩＢ７またはＳＩＢ１４ブロックのコンテンツを記憶させることと、有効期限のタイマーを開始することと、前記有効期限のタイマーが切れるまで有効な、前記１つのＳＩＢ７またはＳＩＢ１４ブロックのコンテンツを考慮することとを含む請求項１０記載の方法。
【請求項１２】
前記アップリンク干渉レベルは開ループ電力制御計算において使用されて、前記ワイヤレス通信デバイスに対して適切な送信電力レベルが決定される請求項１０記載の方法。
【請求項１３】
ワイヤレス通信デバイスの通話設定時間を低減させる方法において、
第１の共通制御チャネル上で前記ワイヤレス通信デバイスをページングすることと、
ＳＩＢブロックまたはＭＩＢブロックが前記ページングに続いてスケジュールされていない、第２の共通制御チャネル上の少なくとも１つの空のスロットを決定することと、
前記通話設定時間を低減させるために、前記少なくとも１つの空のスロットにおいて少なくとも１つのＳＩＢ７またはＳＩＢ１４ブロックをスケジュールすることと、
アップリンク干渉レベルを取得するために、前記少なくとも１つのＳＩＢ７またはＳＩＢ１４ブロックのうちの１つをデコードすることと、
開ループ電力制御計算において前記アップリンク干渉レベルを使用して、前記ワイヤレス通信デバイスに対して適切な送信電力レベルを決定することとを含む方法。
【請求項１４】
前記ワイヤレス通信デバイスが、前記ページングに応答することと、接続要求メッセージを送ることとをさらに含む請求項１３記載の方法。
【請求項１５】
前記ページングするステップ、前記決定するステップ、および前記スケジュールするステップは、ワイヤレスネットワークによって実行される請求項１４記載の方法。
【請求項１６】
前記ワイヤレスネットワークは３Ｇシステムである請求項１５記載の方法。
【請求項１７】
前記３ＧシステムはＵＭＴＳである請求項１６記載の方法。
【請求項１８】
前記第１の共通制御チャネルはＳ−ＣＣＰＣＨであり、前記第２の共通制御チャネルはＰ−ＣＣＰＣＨである請求項１７記載の方法。
【請求項１９】
前記デコードするステップは、前記１つのＳＩＢ７またはＳＩＢ１４ブロックのコンテンツを記憶させることと、有効期限のタイマーを開始することと、前記有効期限のタイマーが切れるまで有効な、前記１つのＳＩＢ７またはＳＩＢ１４ブロックのコンテンツを考慮することとを含む請求項１８記載の方法。
【請求項２０】
ワイヤレス通信デバイスの通話設定時間を低減させる方法において、
第１の共通制御チャネル上で前記ワイヤレス通信デバイスをページングすることと、
アップリンク干渉レベルをＳＩＢブロックに重畳して、前記アップリンク干渉レベルを前記ワイヤレス通信デバイスに送る頻度を増加させることとを含む方法。
【請求項２１】
前記ＳＩＢブロックは、前記第１の共通制御チャネルとは異なる第２の共通制御チャネル上でブロードキャストされる請求項２０記載の方法。
【請求項２２】
前記第１の共通制御チャネルはＳ−ＣＣＰＣＨであり、前記第２の共通制御チャネルはＰ−ＣＣＰＣＨである請求項２１記載の方法。
【請求項２３】
ＳＩＢブロックまたはＭＩＢブロックがスケジュールされていない、前記第２の共通制御チャネル上の少なくとも１つの空のスロットを決定することと、
前記少なくとも１つの空のスロットにおいて、前記アップリンク干渉レベルを含んでいる少なくとも１つのＳＩＢ７またはＳＩＢ１４ブロックをスケジュールして、前記ワイヤレス通信デバイスに送ることとをさらに含む請求項２１記載の方法。
【請求項２４】
前記アップリンク干渉レベルを取得するために、前記ＳＩＢブロックをデコードすることをさらに含む請求項２０記載の方法。
【請求項２５】
開ループ電力制御計算において前記アップリンク干渉レベルを使用して、前記ワイヤレス通信デバイスに対して適切な送信電力レベルを決定することをさらに含む請求項２４記載の方法。
【請求項２６】
前記デコードするステップは、前記ＳＩＢブロックのコンテンツを記憶させることと、有効期限のタイマーを開始することと、前記有効期限のタイマーが切れるまで有効な、前記ＳＩＢのコンテンツを考慮することとを含む請求項２４記載の方法。
【請求項２７】
プロセッサとメモリとを具備する装置において、
前記メモリは、
ＳＩＢブロックまたはＭＩＢブロックがスケジュールされていない、第１の共通制御チャネル上の少なくとも１つの空のスロットを決定することと、
前記少なくとも１つの空のスロットにおいて、少なくとも１つのＳＩＢ７またはＳＩＢ１４ブロックをスケジュールして、通話設定時間を低減させることと、
を実行するための、前記プロセッサによって実行可能なプログラムコードを含んでいる装置。
【請求項２８】
前記メモリは、前記少なくとも１つの空のスロットを決定する前に、第２の共通制御チャネル上でデバイスをページングするためのプログラムコードをさらに含む請求項２７記載の装置。
【請求項２９】
前記第１の共通制御チャネルはＰ−ＣＣＰＣＨであり、前記第２の共通制御チャネルはＳ−ＣＣＰＣＨである請求項２８記載の装置。
【請求項３０】
プロセッサとメモリとを具備する装置において、
前記メモリは、
第１の共通制御チャネル上でデバイスをページングすることと、
アップリンク干渉レベルをＳＩＢブロックに重畳して、前記アップリンク干渉レベルを前記デバイスに送る頻度を増加させることと、
を実行するための、前記プロセッサによって実行可能なプログラムコードを含んでいる装置。
【請求項３１】
前記メモリは、ＳＩＢブロックまたはＭＩＢブロックがスケジュールされていない、第２の共通制御チャネル上の少なくとも１つの空のスロットを決定するためのプログラムコードと、前記少なくとも１つの空のスロットにおいて、前記アップリンク干渉レベルを含んでいる少なくとも１つのＳＩＢ７またはＳＩＢ１４ブロックをスケジュールして、前記デバイスに送るためのプログラムコードとをさらに含む請求項３０記載の装置。
【請求項３２】
前記第１の共通制御チャネルはＳ−ＣＣＰＣＨであり、前記第２の共通制御チャネルはＰ−ＣＣＰＣＨである請求項３１記載の装置。
【請求項３３】
通話設定時間を低減させる装置において、
ＳＩＢブロックまたはＭＩＢブロックがスケジュールされていない、第１の共通制御チャネル上の少なくとも１つの空のスロットを決定する手段と、
前記少なくとも１つの空のスロットにおいて、少なくとも１つのＳＩＢ７またはＳＩＢ１４ブロックをスケジュールして、前記通話設定時間を低減させる手段とを具備する装置。
【請求項３４】
前記少なくとも１つの空のスロットを決定する前に、第２の共通制御チャネル上でデバイスをページングする手段をさらに具備する請求項３３記載の装置。
【請求項３５】
前記第１の共通制御チャネルはＰ−ＣＣＰＣＨであり、前記第２の共通制御チャネルはＳ−ＣＣＰＣＨである請求項３４記載の装置。
【請求項３６】
通話設定時間を低減させる装置において、
第１の共通制御チャネル上でデバイスをページングする手段と、
アップリンク干渉レベルをＳＩＢブロックに重畳して、前記アップリンク干渉レベルを前記デバイスに送る頻度を増加させる手段とを具備する装置。
【請求項３７】
ＳＩＢブロックまたはＭＩＢブロックがスケジュールされていない、第２の共通制御チャネル上の少なくとも１つの空のスロットを決定する手段と、
前記少なくとも１つの空のスロットにおいて、前記アップリンク干渉レベルを含んでいる少なくとも１つのＳＩＢ７またはＳＩＢ１４ブロックをスケジュールして、前記デバイスに送る手段とをさらに具備する請求項３６記載の装置。
【請求項３８】
前記第１の共通制御チャネルはＳ−ＣＣＰＣＨであり、前記第２の共通制御チャネルはＰ−ＣＣＰＣＨである請求項３７記載の装置。
【請求項３９】
記憶されたプログラムコードを含むコンピュータ読み取り可能媒体において、
ＳＩＢブロックまたはＭＩＢブロックがスケジュールされていない、第１の共通制御チャネル上の少なくとも１つの空のスロットを決定することをコンピュータに生じさせるためのプログラムコードと、
前記少なくとも１つの空のスロットにおいて、少なくとも１つのＳＩＢ７またはＳＩＢ１４ブロックをスケジュールして、通話設定時間を低減させることを前記コンピュータに生じさせるためのプログラムコードとを含むコンピュータ読み取り可能媒体。
【請求項４０】
前記少なくとも１つの空のスロットを決定することを前記コンピュータに生じさせる前に、第２の共通制御チャネル上でデバイスをページングすることを前記コンピュータに生じさせるためのプログラムコードをさらに含む請求項３９記載のコンピュータ読み取り可能媒体。
【請求項４１】
前記第１の共通制御チャネルはＰ−ＣＣＰＣＨであり、前記第２の共通制御チャネルはＳ−ＣＣＰＣＨである請求項４０記載のコンピュータ読み取り可能媒体。
【請求項４２】
記憶されたプログラムコードを含むコンピュータ読み取り可能媒体において、
第１の共通制御チャネル上でデバイスをページングすることをコンピュータに生じさせるためのプログラムコードと、
アップリンク干渉レベルをＳＩＢブロックに重畳して、前記アップリンク干渉レベルを前記デバイスに送る頻度を増加させることを前記コンピュータに生じさせるためのプログラムコードとを含むコンピュータ読み取り可能媒体。
【請求項４３】
ＳＩＢブロックまたはＭＩＢブロックがスケジュールされていない、第２の共通制御チャネル上の少なくとも１つの空のスロットを決定することを前記コンピュータに生じさせるためのプログラムコードと、
前記少なくとも１つの空のスロットにおいて、前記アップリンク干渉レベルを含んでいる少なくとも１つのＳＩＢ７またはＳＩＢ１４ブロックをスケジュールして、前記デバイスに送ることを前記コンピュータに生じさせるためのプログラムコードとをさらに含む請求項４２記載のコンピュータ読み取り可能媒体。
【請求項４４】
前記第１の共通制御チャネルはＳ−ＣＣＰＣＨであり、前記第２の共通制御チャネルはＰ−ＣＣＰＣＨである請求項４３記載のコンピュータ読み取り可能媒体。
【請求項４５】
少なくとも１つのコンピュータにより実行されるとき、方法を実現する、記憶されたプログラムコードを含むコンピュータ読み取り可能媒体において、
第１の共通制御チャネル上でデバイスをページングするためのプログラムコードと、
ＳＩＢブロックまたはＭＩＢブロックが前記ページングに続いてスケジュールされていない、第２の共通制御チャネル上の少なくとも１つの空のスロットを決定するためのプログラムコードと、
通話設定時間を低減させるために、前記少なくとも１つの空のスロットにおいて少なくとも１つのＳＩＢ７またはＳＩＢ１４ブロックをスケジュールするためのプログラムコードと、
アップリンク干渉レベルを取得するために、前記少なくとも１つのＳＩＢ７またはＳＩＢ１４ブロックのうちの１つをデコードするためのプログラムコードと、
開ループ電力制御計算において前記アップリンク干渉レベルを使用して、前記デバイスに対して適切な送信電力レベルを決定するためのプログラムコードとを含むコンピュータ読み取り可能媒体。
【請求項４６】
前記第１の共通制御チャネルはＳ−ＣＣＰＣＨであり、前記第２の共通制御チャネルはＰ−ＣＣＰＣＨである請求項４５記載のコンピュータ読み取り可能媒体。
【発明の詳細な説明】
【合衆国法典第３５部第１１９条に基づく優先権の主張】
【０００１】
特許に対する本出願は、２００７年１月３１日に出願され、この出願の譲受人に譲渡され、参照により明白にここに組み込まれている、“改善されたＳＩＢ７スケジューリングにより移動体終端の通話設定遅延を低減させる方法および装置”と題する仮出願第６０／８８７，５８９号に対する優先権を主張する。
【同時継続中の特許出願に対する参照】
【０００２】
本特許出願は、以下の同時継続中の米国特許出願に関連している。  
この出願と同時に出願され、この出願の譲受人に譲渡され、参照により明白にここに組み込まれている、代理人ドケット第０７０５９７号を有する、Ａｍｅｒ Ｃａｔｏｖｉｃ氏、Ａｌｖｉｎ Ｓｉｕ−Ｃｈｕｎｇ Ｎｇ氏、Ｍｏｈｉｔ Ｎａｒａｎｇ氏、およびＣｈａｎ Ｃｈｕｎ Ｃｈｕｎｇ Ｐａｔｒｉｃｋ氏らによる“ページングメッセージ中に干渉情報を含めることにより通話設定遅延を低減させる方法および装置”。  
この出願と同時に出願され、この出願の譲受人に譲渡され、参照により明白にここに組み込まれている、代理人ドケット第０７０６３９号を有する、Ｃｈａｎ Ｃｈｕｎ Ｃｈｕｎｇ Ｐａｔｒｉｃｋ氏、Ａｍｅｒ Ｃａｔｏｖｉｃ氏、Ｍｏｈｉｔ Ｎａｒａｎｇ氏、およびＡｌｖｉｎ Ｓｉｕ−Ｃｈｕｎｇ Ｎｇ氏らによる“ＳＩＢ７およびＳＩＢ１４のスケジューリング頻度を調整することにより通話設定遅延を低減させる方法および装置”。
【分野】
【０００３】
本開示は一般に、通話設定時間を低減させる装置および方法に関する。より詳細には、本開示は、改善されたＳＩＢ７スケジューリングにより通話設定時間を低減させることに関する。
【背景】
【０００４】
移動体終端（ＭＴ）の通話設定時間は、ワイヤレスネットワークにおける重要な性能インジケータである。それは、ネットワークによって提供される任意のサービスにかかわらずユーザの経験に直接影響を及ぼす。移動体終端の通話設定時間は、ネットワークにより発生される総収入だけでなく、解約率にも重大な影響を及ぼす。セルラワイヤレスネットワークにおいて、ユーザ機器（ＵＥ）がアイドルであるとき、ページングをチェックし、ネットワークによりブロードキャストされるシステム情報を読み取るために、ユーザ機器（ＵＥ）は、定期的な時間間隔で起動する。ワイヤレス通信システムの現在のフォーマットは第３世代（３Ｇ）システムを含み、第３世代（３Ｇ）システムは、以前の２Ｇシステムよりも大きな容量および大きな広帯域のワイヤレス性能を提供する。３Ｇシステムは、ワイヤレスネットワークからＵＥにシステム情報をブロードキャストする共通制御チャネルを含む。１つの新生の３Ｇシステムは、ユニバーサル移動電気通信システム（ＵＭＴＳ）である。ＵＭＴＳにおいて、いくかの共通制御チャネルがある。例えば、ＵＭＴＳ中のプライマリ共通制御用物理チャネル（Ｐ−ＣＣＰＣＨ）上に異なる情報ブロックがあり、それは、マスタ情報ブロック（ＭＩＢ）とシステム情報ブロック（ＳＩＢ）とに分類されている。
【０００５】
例えば、各ＳＩＢは、限定的ではないが、公衆陸上移動ネットワーク（ＰＬＭＮ）情報や、ＤＲＸ周期係数（ＳＩＢ１）や、セル再選択のためのしきい値（ＳＩＢ３）や、現在のアップリンク干渉レベル（ＳＩＢ７）や、ページング周波数タイマーなどのような特定のタイプのネットワーク情報を搬送する。これらのシステム情報ブロックのブロードキャストスケジューリングは、マスタ情報ブロック（ＭＩＢ）中に含まれており、マスタ情報ブロック（ＭＩＢ）は、規則的な、予め定められている時間間隔でブロードキャストされる。ＭＩＢは、正確な繰返し回数と、ブロードキャストされるＳＩＢのそれぞれに対する、セグメント数およびシステムフレーム番号とを含む。ＳＩＢのうちの１つは、ＳＩＢ７であり、ＳＩＢ７は、基地局の受信機により知覚される、最新のアップリンク干渉レベルを搬送する。各ＵＥは、ネットワークとの接続を確立する前に、キャンピングセルのＳＩＢ７を読み取る必要がある。ＳＩＢ７情報は、アップリンク干渉レベルを含み、アップリンク干渉レベルは、開ループ電力制御計算において使用されて、ランダムアクセスに対して適切な送信電力レベルが決定される。さらに、ＵＥがネットワークによってページングされているかどうかを決定するために、ＵＥは、そのページングブロックをデコードする。いくつかの例において、ＳＩＢ７を読み取ることと、ネットワークによりページングされることは、同時に、または、ほぼ同時に起こることがある。
【０００６】
ページングブロックは、第２の共通制御用物理チャネル（Ｓ−ＣＣＰＣＨ）を通してブロードキャストされる。一般に、（Ｓ−ＣＣＰＣＨ上の）ページングブロックのデコーディングは、（Ｐ−ＣＣＰＣＨ上の）ＳＩＢのデコーディングに対して、より高い優先順位を有する。ＵＥがページングされているとき、ＵＥがブロードキャストされるＳＩＢ７の次の発生を受信するまで、ＵＥはネットワークとの接続を直ちに開始してページに応答することができない。結果として、ページの受信と、ネットワークとの接続要求の開始との間に、必要な待ち時間がある。待ち時間は、異なるＵＥ間で異なる可能性があり、良いユーザ経験を保証するのに望ましい待ち時間よりも長い待ち時間がある。
【概要】
【０００７】
移動体終端（ＭＴ）の通話設定時間を低減させる装置および方法を開示する。ここで開示するようにＳＩＢ７またはＳＩＢ１４のスケジューリングを改善することにより、有利な結果は、ＭＴの通話設定時間を低減させること、ＳＩＢ７またはＳＩＢ１４の次の発生に対する待ち時間を低減させることを含み、通話の成功レートのパフォーマンスを増加させ、それゆえに、より良いユーザ経験を保証する。さらに、Ｐ−ＣＣＰＣＨチャネル上の以前に使用されていない帯域幅が使用されていることから、帯域幅の効率が増加する。
【０００８】
１つの観点にしたがうと、ワイヤレス通信デバイスの通話設定時間を低減させる方法は、ＳＩＢブロックまたはＭＩＢブロックがスケジュールされていない、第１の共通制御チャネル上の少なくとも１つの空のスロットを決定することと、少なくとも１つの空のスロットにおいて、少なくとも１つのＳＩＢ７またはＳＩＢ１４ブロックをスケジュールして通話設定時間を低減させることとを含む。
【０００９】
別の観点にしたがうと、ワイヤレス通信デバイスの通話設定時間を低減させる方法は、第１の共通制御チャネル上でワイヤレス通信デバイスをページングすることと、ＳＩＢブロックまたはＭＩＢブロックが、ページングに続いてスケジュールされていない、第２の共通制御チャネル上の少なくとも１つの空のスロットを決定することと、少なくとも１つの空のスロットにおいて少なくとも１つのＳＩＢ７またはＳＩＢ１４ブロックをスケジュールして通話設定時間を低減させることと、アップリンク干渉レベルを取得するために、少なくとも１つのＳＩＢ７またはＳＩＢ１４ブロックのうちの１つをデコードすることと、開ループ電力制御計算においてアップリンク干渉レベルを使用して、ワイヤレス通信デバイスに対して適切な送信電力レベルを決定することとを含む。
【００１０】
別の観点にしたがうと、ワイヤレス通信デバイスの通話設定時間を低減させる方法は、第１の共通制御チャネル上でワイヤレス通信デバイスをページングすることと、アップリンク干渉レベルをＳＩＢブロックに重畳して、アップリンク干渉レベルをワイヤレス通信デバイスに送る頻度を増加させることとを含む。他の１つの観点において、方法はさらに、ＳＩＢブロックまたはＭＩＢブロックがスケジュールされていない、第２の共通制御チャネル上の少なくとも１つの空のスロットを決定することと、少なくとも１つの空のスロットにおいて、アップリンク干渉レベルを含んでいる少なくとも１つのＳＩＢ７またはＳＩＢ１４ブロックをスケジュールして、ワイヤレス通信デバイスに送ることとを含む。
【００１１】
別の観点にしたがうと、プロセッサとメモリとを備える装置において、メモリは、ＳＩＢブロックまたはＭＩＢブロックがスケジュールされていない、第１の共通制御チャネル上の少なくとも１つの空のスロットを決定することと、少なくとも１つの空のスロットにおいて、少なくとも１つのＳＩＢ７またはＳＩＢ１４ブロックをスケジュールして、通話設定時間を低減させることとを実行するための、プロセッサによって実行可能なプログラムコードを含む。
【００１２】
別の観点にしたがうと、プロセッサとメモリとを備える装置において、メモリは、第１の共通制御チャネル上でデバイスをページングすることと、アップリンク干渉レベルをＳＩＢブロックに重畳して、アップリンク干渉レベルをデバイスに送る頻度を増加させることとを実行するための、プロセッサによって実行可能なプログラムコードを含む。他の１つの観点において、メモリは、ＳＩＢブロックまたはＭＩＢブロックがスケジュールされていない、第２の共通制御チャネル上の少なくとも１つの空のスロットを決定するためのプログラムコードと、少なくとも１つの空のスロットにおいて、アップリンク干渉レベルを含んでいる少なくとも１つのＳＩＢ７またはＳＩＢ１４ブロックをスケジュールして、デバイスに送るためのプログラムコードとをさらに含む。
【００１３】
別の観点にしたがうと、通話設定時間を低減させる装置は、ＳＩＢブロックまたはＭＩＢブロックがスケジュールされていない、第１の共通制御チャネル上の少なくとも１つの空のスロットを決定する手段と、少なくとも１つの空のスロットにおいて、少なくとも１つのＳＩＢ７またはＳＩＢ１４ブロックをスケジュールして、通話設定時間を低減させる手段とを備える。
【００１４】
別の観点にしたがうと、通話設定時間を低減させる装置は、第１の共通制御チャネル上でデバイスをページングする手段と、アップリンク干渉レベルをＳＩＢブロックに重畳して、アップリンク干渉レベルをデバイスに送る頻度を増加させる手段とを備える。他の１つの観点において、装置は、ＳＩＢブロックまたはＭＩＢブロックがスケジュールされていない、第２の共通制御チャネル上の少なくとも１つの空のスロットを決定する手段と、少なくとも１つの空のスロットにおいて、アップリンク干渉レベルを含んでいる少なくとも１つのＳＩＢ７またはＳＩＢ１４ブロックをスケジュールして、デバイスに送る手段とをさらに備える。
【００１５】
別の観点にしたがうと、記憶されたプログラムコードを含むコンピュータ読み取り可能媒体は、ＳＩＢブロックまたはＭＩＢブロックがスケジュールされていない、第１の共通制御チャネル上の少なくとも１つの空のスロットを決定することをコンピュータに生じさせるためのプログラムコードと、少なくとも１つの空のスロットにおいて、少なくとも１つのＳＩＢ７またはＳＩＢ１４ブロックをスケジュールして、通話設定時間を低減させることをコンピュータに生じさせるためのプログラムコードとを含む。
【００１６】
別の観点にしたがうと、記憶されたプログラムコードを含むコンピュータ読み取り可能媒体は、第１の共通制御チャネル上でデバイスをページングすることをコンピュータに生じさせるためのプログラムコードと、アップリンク干渉レベルをＳＩＢブロックに重畳して、アップリンク干渉レベルをデバイスに送る頻度を増加させることをコンピュータに生じさせるためのプログラムコードとを含む。他の１つの観点において、コンピュータ読み取り可能媒体は、ＳＩＢブロックまたはＭＩＢブロックがスケジュールされていない、第２の共通制御チャネル上の少なくとも１つの空のスロットを決定することをコンピュータに生じさせるためのプログラムコードと、少なくとも１つの空のスロットにおいて、アップリンク干渉レベルを含んでいる少なくとも１つのＳＩＢ７またはＳＩＢ１４ブロックをスケジュールして、デバイスに送ることをコンピュータに生じさせるためのプログラムコードとをさらに含む。
【００１７】
別の観点にしたがうと、記憶されたプログラムコードを含むコンピュータ読み取り可能媒体は、第１の共通制御チャネル上でデバイスをページングするためのプログラムコードと、ＳＩＢブロックまたはＭＩＢブロックがページングに続いてスケジュールされていない、第２の共通制御チャネル上の少なくとも１つの空のスロットを決定するためのプログラムコードと、通話設定時間を低減させるために、少なくとも１つの空のスロットにおいて少なくとも１つのＳＩＢ７またはＳＩＢ１４ブロックをスケジュールするためのプログラムコードと、アップリンク干渉レベルを取得するために、少なくとも１つのＳＩＢ７またはＳＩＢ１４ブロックのうちの１つをデコードするためのプログラムコードと、開ループ電力制御計算においてアップリンク干渉レベルを使用して、デバイスに対して適切な送信電力レベルを決定するためのプログラムコードとを含む。
【００１８】
実例としてさまざまな観点を示し、記述している以下の詳細な説明から、他の観点が当業者に対して容易に明らかになることが理解される。図面および詳細な説明は、本質的に実例であり、限定的であると考えるべきでない。
【図面の簡単な説明】
【００１９】
【図１】図１は、例示的なワイヤレスネットワークを図示するブロック図である。
【図２Ａ】図２Ａは、ページングブロックと、ＳＩＢブロードキャストブロックとのタイムラインのオーバーラップを図示する。
【図２Ｂ】図２Ｂは、ページングブロックと、ＳＩＢブロードキャストブロックとのタイムラインのオーバーラップを図示する。
【図３Ａ】図３Ａは、改善されたＳＩＢ７スケジューリングをともなう、例示的なＰ−ＣＣＰＣＨおよびＳ−ＣＣＰＣＨのタイムラインを図示する。
【図３Ｂ】図３Ｂは、改善されたＳＩＢ７スケジューリングをともなう、例示的なＰ−ＣＣＰＣＨおよびＳ−ＣＣＰＣＨのタイムラインを図示する。
【図４】図４は、ワイヤレスネットワークとワイヤレス通信デバイスとの間の例示的な相互通信のフロー図である。
【図５】図５は、通話設定時間を低減させる構成を図示する。
【図６】図６は、図５中で示す構成によって実行される、１組の例示的なステップを説明するフロー図である。
【図７】図７は、通話設定時間を低減させるのに適したデバイスの第１の実施形態を説明する。
【図８】図８は、通話設定時間を低減させるのに適したデバイスの第２の実施形態を説明する。
【図９】図９は、通話設定時間を低減させるのに適したデバイスの第３の実施形態を説明する。
【詳細な説明】
【００２０】
添付図面とともに以下で示す詳細な説明は、本開示のさまざまな観点の記述として向けられており、本開示が実施される唯一の観点を表すように向けられていない。本開示中で記述する各観点は、本開示の単なる例または実例として提供され、他の観点に対して好ましいまたは有利であるものとして必ずしも解釈すべきでない。詳細な説明は、本開示の完全な理解を提供する目的のために、特定の詳細を含む。しかしながら、これらの詳細がなくても本開示を実施できることが当業者に明らかであるだろう。いくつかの例において、本開示の概念を不明瞭にすることを回避するために、よく知られている構造およびデバイスをブロック図の形態で示している。頭字語および他の記述用語は、単に、便利さおよび明確さのために使用され、開示の範囲を限定するように向けられていない。
【００２１】
説明を簡単にするために、方法を一連の動作として示し、記述しているが、いくつかの動作は、１つ以上の観点にしたがって、ここで示し記述する順序とは異なる順序で、および／または、ここで示し記述する他の動作と同時に起こってもよいことから、方法は動作の順序によって限定されないことを理解および認識すべきである。例えば、状態図におけるような、一連の相関状態または事象として方法を代わりに表すことができることを、当業者は理解および認識するだろう。さらに、１つ以上の観点にしたがって方法を実現するために、図示されたすべての動作が要求されなくてもよい。
【００２２】
ＳＩＢ７ブロードキャストのスケジューリングおよび繰り返し時間は、一定であり、ネットワークによって設定される。ページングオケージョンは、ＵＥの国際移動体加入者識別番号（ＩＭＳＩ）に基づいて決定される。これらの規格の結果として、ＵＥに対する、ページの受信と、ネットワークとの接続要求の開始との間の待ち時間は、ＵＥが属するページンググループに依存する。例えば、ＵＥが、次のＳＩＢ７スケジューリングスロットに隣接するページンググループに属する場合、ＵＥは最小の待ち時間を経験するだろう。逆に、ＵＥが、ページングブロックとＳＩＢ７との間でオーバーラップするページンググループに属する場合、ページングのデコーディングが（因習により）より高い優先順位を有し、ＵＥはＳＩＢのデコーディングをしそこなうだろう。そのようなケースにおいて、ＵＥは最大の待ち時間を経験し、一貫して、最大のＭＴ通話設定時間を経験するだろう。
【００２３】
図１は、例示的なワイヤレスネットワーク１００を図示するブロック図である。図１中で図示した例示的なワイヤレスネットワーク１００は、ＦＤＭＡ環境、ＯＦＤＭＡ環境、ＣＤＭＡ環境、ＷＣＤＭＡ環境、ＴＤＭＡ環境、ＳＤＭＡ環境、または他の任意の適切なワイヤレス環境において実現してもよいことを当業者は理解するだろう。
【００２４】
ワイヤレスネットワーク１００は、（基地局としても知られている）アクセスポイント２００と、（ユーザ機器またはＵＥとしても知られている）ワイヤレス通信デバイス３００とを含んでいる。ダウンリンクの区間において、（基地局としても知られている）アクセスポイント２００は、送信（ＴＸ）データプロセッサＡ ２１０を含み、送信（ＴＸ）データプロセッサＡ ２１０は、トラフィックデータを受け取り、フォーマットし、コード化し、インターリーブし、変調（またはシンボルマッピング）し、（データシンボルとしても知られている）変調シンボルを提供する。ＴＸデータプロセッサＡ ２１０は、シンボル変調器Ａ ２２０と通信している。シンボル変調器Ａ ２２０は、データシンボルとダウンリンクパイロットシンボルとを受け取って処理し、シンボルのストリームを提供する。１つの観点において、シンボル変調器Ａ ２２０は、プロセッサＡ ２８０と通信しており、プロセッサＡ ２８０は設定情報を提供する。シンボル変調器Ａ ２２０は、送信機ユニット（ＴＭＴＲ）Ａ ２３０と通信している。シンボル変調器Ａ ２２０は、データシンボルとダウンリンクパイロットシンボルとを多重化し、それらを送信機ユニットＡ ２３０に提供する。
【００２５】
送信される各シンボルは、データシンボル、ダウンリンクパイロットシンボル、またはゼロの信号値であってもよい。ダウンリンクパイロットシンボルは、各シンボル期間において継続的に送られてもよい。１つの観点において、ダウンリンクパイロットシンボルは、周波数分割多重化（ＦＤＭ）されてもよい。別の観点において、ダウンリンクパイロットシンボルは、直交周波数分割多重化（ＯＦＤＭ）されてもよい。さらに別の観点において、ダウンリンクパイロットシンボルは、コード分割多重化（ＣＤＭ）されてもよい。１つの観点において、送信機ユニットＡ ２３０は、シンボルのストリームを受け取り、それらを１つ以上のアナログ信号に変換し、さらに、アナログ信号を調整し、例えば、増幅し、フィルタリングし、および／または周波数アップコンバートして、ワイヤレス送信に適したアナログダウンリンク信号を発生させる。アナログダウンリンク信号は次に、アンテナ２４０を通して送信される。
【００２６】
ダウンリンクの区間において、（ＵＥとしても知られている）ワイヤレス通信デバイス３００は、アナログダウンリンク信号を受信し、アナログダウンリンク信号を受信機ユニット（ＲＣＶＲ）Ｂ ３２０に入力するアンテナ３１０を含んでいる。１つの観点において、受信機ユニットＢ ３２０は、アナログダウンリンク信号を“調整された信号”に、調整し、例えば、フィルタリングし、増幅し、周波数ダウンコンバートする。“調整された信号”は次にサンプリングされる。受信機ユニットＢ ３２０は、シンボル復調器Ｂ ３３０と通信している。シンボル復調器Ｂ ３３０は、受信機ユニットＢ ３２０から出力される（データシンボルとしても知られている）、“調整された”および“サンプリングされた”信号を復調する。シンボル復調器Ｂ ３３０は、プロセッサＢ ３４０と通信している。プロセッサＢ ３４０は、シンボル復調器Ｂ ３３０からダウンリンクパイロットシンボルを受け取り、ダウンリンクパイロットシンボルに関してチャネル推定を実行する。１つの観点において、チャネル推定は、現在の伝搬環境を特徴づけるプロセスである。シンボル復調器Ｂ ３３０は、プロセッサＢ ３４０からダウンリンク区間に対する周波数応答推定を受け取る。シンボル復調器Ｂ ３３０は、データシンボルに対してデータの復調を実行して、データシンボル推定を取得する。データシンボル推定は、送信されたデータシンボルの推定である。シンボル復調器Ｂ ３３０はまた、ＲＸデータプロセッサＢ ３５０と通信している。ＲＸデータプロセッサＢ ３５０は、シンボル復調器Ｂ ３３０からデータシンボル推定を受け取り、例えば、データシンボル推定を復調し（すなわち、シンボルデマップし）、インターリーブし、および／またはデコードして、トラフィックデータを回復する。１つの観点において、シンボル復調器Ｂ ３３０およびＲＸデータプロセッサＢ ３５０による処理は、それぞれ、シンボル変調器Ａ ２２０およびＴＸデータプロセッサＡ ２１０による処理と相補関係にある。
【００２７】
アップリンクの区間において、（ＵＥとしても知られている）ワイヤレス通信デバイス３００は、ＴＸデータプロセッサＢ ３６０を含む。ＴＸデータプロセッサＢ ３６０は、トラフィックデータを受け取って処理して、データシンボルを出力する。ＴＸデータプロセッサＢ ３６０は、シンボル変調器Ｄ ３７０と通信している。シンボル変調器Ｄ ３７０は、データシンボルを受け取って、アップリンクパイロットシンボルと多重化し、変調を実行し、シンボルのストリームを提供する。１つの観点において、シンボル変調器Ｄ ３７０は、設定情報を提供するプロセッサＢ ３４０と通信している。シンボル変調器Ｄ
３７０は、送信機ユニットＢ ３８０と通信している。
【００２８】
送信される各シンボルは、データシンボル、アップリンクパイロットシンボル、またはゼロの信号値であってもよい。アップリンクパイロットシンボルは、各シンボル期間において継続的に送られてもよい。１つの観点において、アップリンクパイロットシンボルは、周波数分割多重化（ＦＤＭ）されてもよい。別の観点において、アップリンクパイロットシンボルは、直交周波数分割多重化（ＯＦＤＭ）されてもよい。さらに別の観点において、アップリンクパイロットシンボルは、コード分割多重化（ＣＤＭ）されてもよい。１つの観点において、送信機ユニットＢ ３８０は、シンボルのストリームを受け取り、それらを１つ以上のアナログ信号に変換し、さらに、アナログ信号を調整し、例えば、増幅し、フィルタリングし、および／または周波数アップコンバートして、ワイヤレス送信に適したアナログアップリンク信号を発生させる。アナログアップリンク信号は次に、アンテナ３１０を通して送信される。
【００２９】
ワイヤレス通信デバイス（ＵＥ）３００からのアナログアップリンク信号は、アンテナ２４０によって受信され、受信機ユニットＡ ２５０によって処理されてサンプルが取得される。１つの観点において、受信機ユニットＡ ２５０は、アナログアップリンク信号を“調整された信号”に、調整し、例えば、フィルタリングし、増幅し、周波数ダウンコンバートする。“調整された信号”は次にサンプリングされる。受信機ユニットＡ ２５０は、シンボル復調器Ｃ ２６０と通信している。シンボル復調器Ｃ ２６０は、データシンボルに対してデータの復調を実行してデータシンボル推定を取得し、次にアップリンクパイロットシンボルとデータシンボル推定とをＲＸデータプロセッサＡ ２７０に提供する。データシンボル推定は、送信されたデータシンボルの推定である。ＲＸデータプロセッサＡ ２７０は、データシンボル推定を処理して、ワイヤレス通信デバイス３００によって送信されたトラフィックデータを回復する。シンボル復調器Ｃ ２６０はまた、プロセッサＡ ２８０と通信している。プロセッサＡ ２８０は、アップリンク区間上で送信している各アクティブ端末に対してチャネル推定を実行する。１つの観点において、複数の端末は、それぞれの割り当てられた組のパイロット副帯域におけるアップリンク区間上で同時にパイロットシンボルを送信してもよく、パイロット副帯域の組はインタレースされてもよい。
【００３０】
プロセッサＡ ２８０およびプロセッサＢ ３４０は、それぞれ（基地局としても知られている）アクセスポイント２００および（ユーザ機器またはＵＥとしても知られている）ワイヤレス通信デバイス３００における動作を命令する（例えば、制御し、調整し、または管理するなど）。１つの観点において、プロセッサＡ ２８０およびプロセッサＢ ３４０のいずれかまたはその両方は、プログラムコードおよび／またはデータを記憶する（示していない）１つ以上のメモリユニットに関係付けられる。１つの観点において、プロセッサＡ ２８０またはプロセッサＢ ３４０のいずれか、あるいはその両方は、計算を実行して、それぞれアップリンク区間およびダウンリンク区間に対する周波数およびインパルス応答推定を導く。
【００３１】
１つの観点において、ワイヤレスネットワーク１００は多元接続システムである。多元接続システム（例えば、ＦＤＭＡ、ＯＦＤＭＡ、ＣＤＭＡ、ＴＤＭＡなど）に対して、複数の端末は、アップリンク区間上で同時に送信する。１つの観点において、多元接続システムに対して、異なる端末間でパイロット副帯域を共有してもよい。それぞれの端末に対するパイロット副帯域が全体の動作帯域（あるいは帯域エッジを除いて）にまたがるようなケースにおいて、チャネル推定技術が使用される。各端末に対して周波数ダイバーシティを取得するために、このようなパイロット副帯域構造が望まれる。
【００３２】
ここで記述する技術はさまざまな方法により実現してもよいことを当業者は理解するだろう。例えば、技術は、ハードウェア、ソフトウェア、またはこれらの組み合わせにおいて実現してもよい。例えば、ハードウェア実施のために、１つ以上の特定用途向け集積回路（ＡＳＩＣ）、デジタル信号プロセッサ（ＤＳＰ）、デジタル信号処理デバイス（ＤＳＰＤ）、プログラム可能論理デバイス（ＰＬＤ）、フィールドプログラム可能ゲートアレイ（ＦＰＧＡ）、プロセッサ、制御装置、マイクロ制御装置、マイクロプロセッサ、ここで記述した機能を実行するように設計された他の電子ユニット、またはこれらの組み合わせ内で、チャネル推定のために使用される処理ユニットを実現してもよい。ソフトウェアに対して、実施は、ここで記述した機能を実行するモジュール（例えば、手続き、関数など）によるものであってもよい。ソフトウェアコードをメモリユニット中に記憶させ、プロセッサＡ ２８０およびプロセッサＢ ３４０により実行してもよい。
【００３３】
ここで記述するさまざまな実例となる、フロー図、論理ブロック、モジュール、および／または回路は、（プロセッサとしても知られている）１つ以上のプロセッサユニットにより実現または実行してもよい。プロセッサは、マイクロプロセッサのような汎用目的のプロセッサ、デジタル信号プロセッサ（ＤＳＰ）のような特定用途のプロセッサ、または、ソフトウェアをサポートできる他の任意のハードウェアプラットフォームであってもよい。ソフトウェア、ファームウェア、ミドルウェア、マイクロコード、または他の任意の用語、で呼ばれようとなかろうと、ソフトウェアは、命令、データ構造、またはプログラムコードの、任意の組み合わせを意味するように広く解釈されるであろう。代わりに、プロセッサは、特定用途向け集積回路（ＡＳＩＣ）、プログラム可能論理デバイス（ＰＬＤ）、フィールドプログラム可能ゲートアレイ（ＦＰＧＡ）、制御装置、マイクロ制御装置、状態遷移機械、ディスクリートのハードウェアコンポーネントの組み合わせ、またはこれらの任意の組み合わせであってもよい。ここで記述するさまざまな実例となる、論理ブロック、モジュール、および／または回路はまた、ソフトウェアを記憶するコンピュータ読み取り可能媒体を含んでいてもよい。コンピュータ読み取り可能媒体はまた、１つ以上の記憶デバイス、伝送線路、またはデータ信号をエンコードする搬送波を含んでいてもよい。
【００３４】
図２Ａおよび図２Ｂは、ページングブロックおよびＳＩＢブロードキャストブロックのタイムラインのオーバーラップを図示する。ワイヤレスネットワーク１００が、（ＵＥとしても知られている）ワイヤレス通信デバイス３００をページングするとき、ワイヤレスネットワーク１００は、ページングインジケータチャネル（ＰＩＣＨ）上で（ＵＥとしても知られている）ワイヤレス通信デバイス３００に対応するページングインジケータ（ＰＩ）を設定する。１つの観点において、１つ以上のワイヤレス通信デバイスに同じＰＩを割り当てることができる。各ワイヤレス通信デバイスは、そのＰＩの値を決定するために、ＰＩＣＨ上の（ページングオケージョンとしても知られている）特定のフレームだけを監視する。１つの観点において、各ワイヤレス通信デバイスに対するページングオケージョンのシステムフレーム番号（ＳＦＮ）は次のように計算される。  
SFN＝{(IMSI div K)mod DRX周期長}＋n*DRX周期長＋フレームオフセット （１）  
ここで、Ｋは、セル中のＳ−ＣＣＰＣＨチャネルの数であり、ＤＲＸ周期長は、ワイヤレスネットワークにより設定される設定可能なパラメータであり、ＩＭＳＩは、ワイヤレスネットワークにより各加入者に割り当てられる固定番号である、国際移動体加入者識別番号であり、ＳＦＮのように長いｎ＝０、１、２、．．．は、最大値より小さい（＜２５６）。１つの例において、Ｋは１に設定される。
【００３５】
（ＵＥとしても知られている）ワイヤレス通信デバイス３００が、ＰＩＣＨ上でそのＰＩが設定されていることを決定する場合、（ＵＥとしても知られている）ワイヤレス通信デバイス３００は、到来するページがワイヤレスデバイス３００に向けられたものであるかどうかを決定するためにページングチャネル（ＰＣＨ）を読み取るだろう。ＰＣＨは、共通制御チャネルにマッピングされる。１つの観点において、共通制御チャネルは、ＵＭＴＳにおける第２の共通制御用物理チャネル（Ｓ−ＣＣＰＣＨ）である。いくつかの例において、ページングブロックの送信は、（ＵＥとしても知られている）ワイヤレス通信デバイス３００がランダムアクセスを開始するために読み取る必要があるＳＩＢのブロードキャストとオーバーラップする。第２の共通制御用物理チャネル（Ｓ−ＣＣＰＣＨ）を通してブロードキャストされるページングブロックは一般に、（Ｐ−ＣＣＰＣＨ上の）ＳＩＢのデコーディングに対してより高い優先順位を有する。したがって、（ＵＥとしても知られている）ワイヤレス通信デバイス３００は、ページングブロックを読み取り、ＳＩＢを取りそこなうだろう。特に、ページングブロックがＳＩＢ７とオーバーラップする場合、（ＵＥとしても知られている）ワイヤレス通信デバイス３００は、ＳＩＢ７のデコーディングをしそこなうだろう。（ＵＥとしても知られている）ワイヤレス通信デバイス３００がページングされているとき、ワイヤレス通信デバイス３００が、ブロードキャストされるＳＩＢ７の次の発生を受信するまで、ワイヤレス通信デバイス３００は、ワイヤレスネットワークとの接続を直ちに開始してページに応答することができず、ページの受信と、ワイヤレスネットワーク１００との接続要求の開始との間に、待ち時間が結果として生じる。ＳＩＢ７情報はアップリンク干渉レベルを含み、アップリンク干渉レベルは、開ループ電力制御計算において使用されて、ランダムアクセスに対して適切な送信電力レベルが決定される。
【００３６】
図２Ａおよび２Ｂ中で示すように、項目１は、ＩＭＳＩ番号Ｎに向けられるページングタイプ１メッセージである。項目２は、ＩＭＳＩ番号Ｎを有する（ＵＥとしても知られている）ワイヤレス通信デバイス３００に向けられる、ＳＩＢ７を含んでいるＢＣＨデータである。（ＵＥとしても知られている）ワイヤレス通信デバイス３００は、それがページに応答できる前に、ＳＩＢ７をデコードしなければならない。しかしながら、この例において、ページングブロックはＳＩＢ７とオーバーラップすることから、（ＵＥとしても知られている）ワイヤレス通信デバイス３００は、ＳＩＢ７の次の発生を待つ必要がある。したがって、この例において、（ＵＥとしても知られている）ワイヤレス通信デバイス３００は、最悪のＭＴ通話設定時間を有するだろう。
【００３７】
図３Ａおよび３Ｂは、改善されたＳＩＢ７スケジューリングを有する、例示的なＰ−ＣＣＰＣＨおよびＳ−ＣＣＰＣＨのタイムラインを図示する。図３Ａおよび３Ｂは、一定の繰返しレートで到達する、既存のブロードキャストされるＳＩＢ７に加えて、ＳＩＢまたはＭＩＢがスケジュールされない、Ｐ−ＣＣＰＣＨ上の空のスロットがあるときはいつでも、ＵＴＲＡＮ（ＵＭＴＳ地上無線アクセスネットワーク）が追加のＳＩＢ７をスケジュールすることを示している。１つの観点において、Ｐ−ＣＣＰＣＨは、追加のＳＩＢ７で満たされ、待ち時間が低減されるだろう。１つの観点において、追加のＳＩＢ７の構成は、他のＳＩＢおよびＭＩＢのスケジューリングに影響を及ぼさない。
【００３８】
別の観点において、アップリンク干渉レベルが、（ＳＩＢ７でない）他のＳＩＢに対してスケジュールされたスロットに重畳される。（ＵＥとしても知られている）ワイヤレス通信デバイス３００がページングされているとき、いったんページングタイプ１メッセージが受信されると、ワイヤレス通信デバイス３００は、継続的にＰ−ＣＣＰＣＨを監視してＳＩＢ７を探す。アップリンク干渉レベルが、他のＳＩＢ中に埋め込まれていようと、通常のスケジュールされたＳＩＢ７からのものであろうと、または追加のＳＩＢ７からのものであろうと、アップリンク干渉レベルがデコードされるとき、（ＵＥとしても知られている）ワイヤレス通信デバイス３００は、ワイヤレスネットワーク１００に対して接続要求を送るために適切な送信電力レベルを計算する。１つの観点において、いくつかのＳＩＢに対して、そのコンテンツが十分にデコードできる前に、複数のセグメントを必要としてもよい。本開示の範囲および精神に影響を及ぼすことなく使用できる、さまざまな既知の自己デコーディング構成があることを当業者は理解するだろう。１つの観点において、ワイヤレスネットワーク１００は、可能性のある衝突に対して、ＳＩＢ７ブロードキャストに対する（ＵＥとしても知られている）ワイヤレス通信デバイス３００のページングオケージョンをチェックする。ここで、ページング情報は、ページングオケージョンのチェックを処理する無線ネットワーク制御装置（ＲＮＣ）に提供される。１つの観点において、追加のＳＩＢ７の通知は、（基地局としても知られている）アクセスポイント２００のすべての識別される位置／ルーティングエリアに送られる。
【００３９】
１つの例において、ページングタイプ１メッセージがＩＭＳＩ番号Ｎに対して向けられる。ワイヤレスネットワーク１００は、アップリンク干渉レベル（すなわち、ＳＩＢ７情報）を現在スケジュールされているＳＩＢに重畳する。別の観点において、ワイヤレスネットワーク１００は、ＳＩＢまたはＭＩＢがスケジュールされない空のスロットにおいて追加のＳＩＢ７を送信する。さらに別の観点において、ワイヤレスネットワークは、空のスロットにおいて追加のＳＩＢ７情報を送信し、ＳＩＢ７を現在スケジュールされているＳＩＢに重畳する。効果的に、これは、ＳＩＢ７の繰返しファクタを増加させ、待ち時間を低減させる。
【００４０】
図４は、ワイヤレスネットワーク１００と、（ＵＥとしても知られている）ワイヤレス通信デバイス３００との間の例示的な相互通信のフロー図である。ブロック４１０において、ワイヤレスネットワーク１００は、ページングタイプ１メッセージをＩＭＳＩ番号Ｎに送る。ブロック４２０において、ワイヤレスネットワークは、スケジュールされたＳＩＢ７よりも、早くおよび／または頻繁にアップリンク干渉レベルを送る。このより早いまたはより頻繁なＳＩＢ７のスケジューリングは、空のスロットにおいて追加のＳＩＢ７を送信すること、現在スケジュールされているＳＩＢにＳＩＢ７情報を重畳すること、またはその両方、により達成される。１つの観点において、ワイヤレスネットワーク１００は、ＳＩＢまたはＭＩＢがスケジュールされていない、共通制御チャネル上の空のスロットを決定する。１つの例において、共通制御チャネルは、Ｐ−ＣＣＰＣＨである。
【００４１】
ブロック４３０において、ワイヤレス通信デバイス３００は、ＳＩＢ７または他のＳＩＢブロックを受信して、アップリンク干渉レベルをデコードおよび取得する。例えば、スケジュールされた位置とは異なる位置においてＳＩＢ７ブロックを受信した後、ワイヤレス通信デバイス３００は、ＳＩＢ７または他のＳＩＢブロックを処理する（すなわち、デコードする）ことを続ける。別の例において、スケジュールされた位置が利用可能でない、または、まだ受信されていない場合でさえ、ＳＩＢ７ブロックの受信後に、ワイヤレス通信デバイス３００は、ＳＩＢ７または他のＳＩＢブロックを処理することを継続する。１つの観点において、処理は、ＳＩＢ７ブロックまたは他のＳＩＢブロックのコンテンツを記憶させることと、予め定められている値により有効期限のタイマーを開始することと、有効期限のタイマーが切れるまで有効なコンテンツを考慮することとを含んでもよい。予め定められている値は、システムパラメータ、またはオペレータによる選択などに基づいていてもよく、本開示の範囲および精神に影響を及ぼさないことを当業者は理解するだろう。
【００４２】
１つの観点において、ＳＩＢ７または他のＳＩＢからの情報をデコードおよび管理することは、無線リソース制御装置（ＲＲＣ）の仕事である。１つの観点において、ＲＲＣは、（ＵＥとしても知られている）ワイヤレス通信デバイス３００の一部である。ＲＲＣはＳＩＢ情報を読み取り、ＳＩＢを収集し、再度組み立て、そこに含まれている情報をデコードする。ブロック４４０において、ワイヤレス通信デバイス３００は、それがアップリンク干渉レベルを有した後に、ワイヤレスネットワーク１００に対してＲＲＣ接続要求メッセージを送ることによりページに応答する。ここで開示するようなＳＩＢ７のスケジューリングは、ＭＴ通話設定時間を低減させることと、ＳＩＢ７の次の発生に対する待ち時間を低減させることと、通話の成功レートのパフォーマンスを増加させることと、それゆえに、より良いユーザ経験を保証することとを含んでもよい有利な結果を可能にする。さらに、Ｐ−ＣＣＰＣＨチャネル上の以前に使用されていない帯域幅が使用されていることから、帯域幅の効率が増加する。１つの例において、通話設定時間を低減させる構成は、図５中で示すような、メモリ５２０と通信するプロセッサ５１０を含むデバイス５００によって達成される。１つの観点において、メモリ５２０は、プロセッサ５１０内に位置している。別の観点において、メモリ５２０は、プロセッサ５１０に対して外部にある。
【００４３】
１つの観点において、本開示は、アップリンク干渉レベルがＳＩＢ７ブロック中に含まれる周波数分割複信（ＦＤＤ）モードに関連することを当業者は理解するだろう。さらに、時分割複信（ＴＤＤ）モードにおいて、アップリンク干渉レベルはＳＩＢ１４中に含まれ、ＳＩＢ７ブロックを参照しているここでの開示は、開示の範囲または精神に影響を及ぼすことなくＳＩＢ１４ブロックに置き換えることができることを当業者は理解するだろう。
【００４４】
図６は、図５中で示した構成（デバイス５００）によって実行される、例示的なステップのセット６００を説明するフロー図である。ブロック６１０は、共通制御チャネル上でデバイス（例えば、図５中のデバイス５００）をページングするステップを示す。１つの観点において、このステップにおける共通制御チャネルは、Ｓ−ＣＣＰＣＨである。ブロック６２０は、アップリンク干渉レベルをＳＩＢブロックに重畳するステップを示す。ブロック６３０は、共通制御チャネル上の少なくとも１つの空のスロットを決定するステップを示す。１つの観点において、このステップにおける共通制御チャネルは、Ｐ−ＣＣＰＣＨである。ブロック６４０は、空のスロットのうちの１つにおいて、少なくとも１つのＳＩＢ７またはＳＩＢ１４ブロックをスケジュールするステップを示す。ブロック６５０は、ＳＩＢ７またはＳＩＢ１４ブロックをデコードしてアップリンク干渉レベルを取得するステップを示す。ブロック６６０は、開ループ電力制御計算においてアップリンク干渉レベルを使用して適切な送信電力レベルを決定するステップを示す。図６中で表したすべてのステップを使用する必要があるわけではないことを、または、本開示の範囲または精神に影響を及ぼすことなく、図６中で表したステップに他のステップを組み合わせることができることを当業者は理解するだろう。
【００４５】
図７は、通話設定時間を低減させるのに適したデバイス７００の第１の実施形態を示す。１つの観点において、デバイス７００は、ブロック７１０および７２０における、ここで記述したような、通話設定時間を低減させるさまざまな観点を提供するように構成されている１つ以上のモジュールを備える少なくとも１つのプロセッサにより実現される。例えば、各モジュールは、ハードウェア、ソフトウェア、またはこれらの任意の組み合わせを含む。１つの観点において、デバイス７００はまた、少なくとも１つのプロセッサと通信する少なくとも１つのメモリによって実現される。
【００４６】
図８は、通話設定時間を低減させるのに適したデバイス８００の第２の実施形態を示す。１つの観点において、デバイス８００は、ブロック８１０および８２０における、ここで記述したような、通話設定時間を低減させる異なる観点を提供するように構成されている１つ以上のモジュールを備える少なくとも１つのプロセッサにより実現される。例えば、各モジュールは、ハードウェア、ソフトウェア、またはこれらの任意の組み合わせを含む。１つの観点において、デバイス８００はまた、少なくとも１つのプロセッサと通信する少なくとも１つのメモリによって実現される。
【００４７】
図９は、通話設定時間を低減させるのに適したデバイス９００の第３の実施形態を示す。１つの観点において、デバイス９００は、ブロック９１０、９２０、９３０、９４０、９５０、および９６０における、ここで記述したような、通話設定時間を低減させる異なる観点を提供するように構成されている１つ以上のモジュールを備える少なくとも１つのプロセッサにより実現される。例えば、各モジュールは、ハードウェア、ソフトウェア、またはこれらの任意の組み合わせを含む。１つの観点において、デバイス９００はまた、少なくとも１つのプロセッサと通信する少なくとも１つのメモリによって実現される。
【００４８】
いかなる当業者であっても本開示を実施しまたは使用できるように、開示した観点の記述をこれまでに提供している。これらの観点に対してさまざまな修正が当業者に容易に明らかになり、本開示の精神または範囲から逸脱することなく、ここで規定した一般的な原理を、他の観点に適用してもよい。
【図１】
2010518702.tif 000003
【図２Ａ】
2010518702.tif 000004
【図２Ｂ】
2010518702.tif 000005
【図３Ａ】
2010518702.tif 000006
【図３Ｂ】
2010518702.tif 000007
【図４】
2010518702.tif 000008
【図５】
2010518702.tif 000009
【図６】
2010518702.tif 000010
【図７】
2010518702.tif 000011
【図８】
2010518702.tif 000012
【図９】
2010518702.tif 000013
【国際調査報告】
2010518702.tif 000014
2010518702.tif 000015
2010518702.tif 000016
2010518702.tif 000017